(57)【特許請求の範囲】
【請求項１】
原稿を走査して当該原稿の内容を読取る画情報読取り装置において、
原稿に形成された溝を読取る変位検出手段と、
原稿走査終了後に、該変位検出手段で検出した全ての変位値が閾値以下か否かを判断する画情報判断手段と、
前記変位値が閾値以下のときは未記入原稿として処理する未記入原稿処理手段と、
前記変位値が閾値以下でないときは記入原稿として処理する記入原稿処理手段と、
を有することを特徴とする画情報読取装置。
【請求項２】
前記画情報判断手段が前記変位検出手段で読取った画情報に有効な画情報が存在しないと判断した場合には、以後の処理を中止するようにしたことを特徴とする請求項１記載の画情報読取装置。
【請求項３】
前記画情報判断手段が有効な画情報であると判断した画情報により形成される画像をユーザの要求に応じて出力できる出力手段を有することを特徴とする請求項１又は２記載の画情報読取装置。
【請求項４】
最初にイメージセンサーで原稿を走査し、白紙であった場合に、前記変位検出手段で原稿に形成された溝を読みとることを特徴とする請求項１乃至３のいずれか１項に記載の画情報読取装置。
【発明の詳細な説明】
【０００１】
【発明の属する技術分野】
本発明は、溝のみからなる原稿でも画情報の読取りが行えるようにした画情報読取装置に関する。
【０００２】
【従来の技術】
従来、ファクシミリ装置等の通信装置や複写機等の画情報読取装置においては、鉛筆やボールペン等により筆記された画情報を読込んで所定の処理が行われている。
【０００３】
例えば、ファクシミリ装置においては、鉛筆等により筆記された原稿に光を照射し、その反射光をＣＣＤ等のイメージセンサで電気信号に変換することにより画情報の読込が行われている。
【０００４】
従って、読取る原稿に色の違い（例えば、白黒）がなければ画情報は記載されていないものとして処理される（白紙の原稿が送信される）。
【０００５】
しかし、用紙はあっても鉛筆等の筆記用具がない場合が日常生活において珍しくなく、係る場合には筆記用具を探して原稿を作る必要がある。
【０００６】
また、筆記用具や用紙があるものの、送信してしまえばその時点で不要となる原稿もあり、資源の無駄が多いことも事実である。
【０００７】
そこで、特開平８−２７４９１３号公報においては、ペンパッドにペンでデータ入力することにより画情報が入力できるようにした構成が開示されている。
【０００８】
【発明が解決しようとする課題】
しかしながら、このようなペンパッドに専用ペンで画情報を入力するような場合には専用ペンが紛失等する恐れがあり、また入力している時間は当該ファクシミリ装置が占有されるので稼働率が低下する問題がある。
【０００９】
さらに、このような機能の存在や使い方、かかる画情報の入力方法に抵抗を感じるユーザも多いと共に、ファクシミリ本体以外にペンパッド等が新たに必要となるためコストアップ等の問題が生じる。
【００１０】
そこで、本発明は、従来のファクシミリ装置に慣れ親しんだユーザでも違和感を覚えることなく使えると共に、簡単かつ安価に筆記具がなくても画情報を読込むことができるようにした画情報読取装置を提供することを目的とする。
【００１１】
【課題を解決するための手段】
本願発明は、原稿を走査して当該原稿の内容を読取る画情報読取り装置において、原稿に形成された溝を読取る変位検出手段と、原稿走査終了後に、該変位検出手段で検出した全ての変位値が閾値以下か否かを判断する画情報判断手段と、前記変位値が閾値以下のときは未記入原稿として処理する未記入原稿処理手段と、前記変位値が閾値以下でないときは記入原稿として処理する記入原稿処理手段とを有し、従来のファクシミリ装置等に慣れ親しんだユーザでも違和感を覚えることなく、簡単かつ安価に筆記具がなくても画情報を読込ませることができるようにしたことを特徴とする。
【００１２】
請求項２にかかる発明は、画情報判断手段が変位検出手段で読取った画情報に有効な画情報が存在しないと判断した場合には、以後の処理を中止するようにして画情報読取後の処理が適切に行えるようにしたことを特徴とする。
【００１３】
請求項３にかかる発明は、画情報判断手段が有効な画情報であると判断した画情報により形成される画像をユーザの要求に応じて出力できる出力手段を有し、読込んだ画情報の確認が行えるようにしたことを特徴とする。
【００１４】
【発明の実施の形態】
本発明の実施の形態を図を参照して説明する。図１は本発明に係る画情報読取装置をファクシミリ装置に適用した際の当該ファクシミリ装置の概略構成を示す図である。
【００１５】
このファクシミリ装置は、本装置全体を制御するＣＰＵ１、制御の為のプログラムやデータ等を記憶しているＲＯＭ２、制御に必要な種々のデータを記憶するＲＡＭ３、ユーザによる操作を入力すると共に情報をユーザに伝える操作表示部４、原稿読み取りを行なう画像読取部５、コピーや原稿出力を行なうプロッタ６、通信回線の制御を行なう網制御部７、送信信号の変調や受信信号の復調を行なうモデム８、画情報を所定の符号化方式にしたがって符号化し、また、符号化された画情報を複合化する符号化・複合化部９、相手ファクシミリ装置との間でファクシミリ制御信号を交換しファクシミリ通信手順を実行する通信制御部１０、原稿の溝を読取る変位検出部１１及び読取った溝が画情報として有効であるか否かを判断する画情報判断部１２等を有し、これら各部はバスにより接続されている。
【００１６】
なお、画情報判断部１２での判断処理はＣＰＵ１で行うように構成しても良いことは明らかである。
【００１７】
このような構成で、ファクシミリ送信の手順を図１を参照して説明する。ファクシミリ送信する際には、原稿を作成する必要がある。
【００１８】
原稿作成を行うには、先ず用紙を準備し、そこに先端がとがった物（例えば、インクが無くなったボールペン）等の溝形成部材を用いて画情報を描く。
【００１９】
この溝形成部材により、用紙には溝が形成されるが、インク等が付着しないため白紙のままであるので、他の用途に利用できて資源の有効利用が可能となっている。
【００２０】
このようにして、所望の画情報に対応する溝を用紙に形成した後、当該用紙（原稿）をファクシミリ装置にセットする。ファクシミリ装置には、画像読取部５が設けられているので、当該画像読取部５で原稿を搬送走査して画情報の読取りを行う（ステップＳ１）。
【００２１】
画像読取部５には、ＣＣＤ等の図示しないイメージセンサが設けられると共に、原稿面の凹凸を検出する変位検出部１１が設けられている。
【００２２】
そこで、ユーザは読取るべき原稿がＣＣＤ等のイメージセンサで読取りを行うか、変位検出部１１で読取りを行うかを操作表示部４から指示する。
【００２３】
イメージセンサで読取る場合には、公知の手順に従い画情報の読取りが行われ、変位検出部１１で読取る場合には、検出した溝が予め設定された深さ（閾値）以下か否かの判断を画情報判断部１２で逐次行い（ステップＳ２）、閾値以下の場合には、その部分には画情報は記入されていないと判断し（ステップＳ３）、閾値以下でない場合には、その部分に画情報は記入されていると判断する（ステップＳ４）。
【００２４】
このような溝の深さが閾値以上か否かを判断するのは、用紙には種々の原因により意図しない傷等による溝が生じている可能性があるので、これら全てを画情報を構成する溝としてしまうと、適正な画情報が得られなくなるためである。
【００２５】
無論、閾値の設定が適切でないと正しく記載されている原稿も適正に読込めない場合があるので、当該閾値はユーザにより設定可能とすることが好ましい。
【００２６】
このような、判断を原稿の搬送が終了するまで行い、溝の読込み、即ち画情報の読込みが終了する（ステップＳ５）。
【００２７】
そして、次に読込んで得られた画情報が全て閾値以下か否かの判断を行う（ステップＳ６）。即ち、本発明にかかる原稿には、溝のみが記載されている場合があるので、溝のみの原稿か又は新しい用紙かは注意して見なければ判別できない。
【００２８】
従って、ユーザは間違って溝を付けていない原稿をセットして送信しようとする場合が考えられ、かかる間違った送信を防止するために読込んで得られた画情報が全て閾値以下か否かの判断を行っている。
【００２９】
原稿の溝が全て閾値以下の場合には、未記入原稿と判断して（ステップＳ７）、送信処理を中断して終了し（ステップＳ８）、それ以外の場合には、記入原稿と判断する（ステップＳ９）。
【００３０】
ステップＳ９に進んだ場合、原稿は用紙に溝を付けることにより作成された原稿の内容確認は容易でないので、読込んだ原稿の画情報をプロッタ６等から出力して内容確認するか否かを判断する（ステップＳ１０）。
【００３１】
これは操作表示部４に画像チェックを行うか否かの問い合せを表示し、それに対応する回答をキー入力等させることにより設定する。
【００３２】
そして、画像チェックするように設定されると画情報をプロッタ６から出力する（ステップＳ１１）。
【００３３】
このとき、もし一部に誤記等があると、プロッタ６から出力された画像を直接訂正して再読込を行っても良く、元の原稿を訂正して再読込を行っても良い。これにより、正確な画情報を作成することが可能になる。
【００３４】
無論、プロッタ６から出力せずに、操作表示部４に表示するようにして、誤記等を発見した場合には、その表示内容に従い原稿を訂正するようにしても良い。
【００３５】
このようにして、正しい画情報の原稿が作成できると、送信するか否かを判断する（ステップＳ１２）。訂正等を行う場合には、送信をキャンセルするが（ステップＳ８）、そうでない場合には送信を実行して（ステップＳ１３）、処理が終了する。
【００３６】
なお、上記説明では、原稿作成においてインクの出なくなったボールペン等を用いて用紙に溝のみを形成する場合について説明したが、本発明はこれに限定されるものではなく、インクが出るボールペンを用いても良い。インクが出ても、溝が形成されることには代りがないからである。
【００３７】
また、上記説明では、ＣＣＤ等のイメージセンサで画情報を読取るか、変位検出部１１で画情報を読取るかをユーザが選択するようにしたが、本発明はこれに限定されるものではなく、イメージセンサ及び変位検出部１１で同時に読取りを行っても良い。
【００３８】
この場合、ＣＣＤで読込んで得られた画情報がデータを構成しない場合（例えば、白紙のため全てのデータが「０」であるような場合）には、変位検出部１１で読取ったデータにより以後の処理判断を行うようにすることが好ましい。
【００３９】
【発明の効果】
以上説明したように本願発明によれば、原稿に形成された溝を読取る変位検出手段と、原稿走査終了後に、該変位検出手段で検出した全ての変位値が閾値以下か否かを判断する画情報判断手段と、前記変位値が閾値以下のときは未記入原稿として処理する未記入原稿処理手段と、前記変位値が閾値以下でないときは記入原稿として処理する記入原稿処理手段とを設け、原稿に形成されたある程度の深さを有する溝によって画情報有無を判断し、画情報読取処理を行うようにしたので、従来のファクシミリ装置等に慣れ親しんだユーザでも違和感を覚えることなく、簡単かつ安価に筆記具がなくても所望の画情報を読込ませることができるようになる。
【図面の簡単な説明】
【図１】本発明の実施の形態の説明に適用されるブロック図である。
【図２】画情報読取等の処理手順を示す図である。
【符号の説明】
１  ＣＰＵ
２  ＲＯＭ
３  ＲＡＭ
４  操作表示部
５  画像読取部
６  プロッタ
７  網制御部
８  モデム
９  符号化・複合化部
１０  通信制御部
１１  変位検出部
１２  画情報判断部
【図１】
0003933853.tif 000002
【図２】
0003933853.tif 000003